(57)【要約】【課題】演出役物装置の可動体を重心付近で支持できなくても可動体をスムーズに昇降させることができるようにする。【解決手段】演出役物装置１は、可動体１０と、可動体１０のいずれか一方の側面側に連結され、可動体１０上下方向に移動させる昇降機構２０と、可動体１０の重心を通る垂線Ｌから横方向に離れた位置に配置され、可動体１０を上下方向に移動可能に支持するとともに可動体１０の横方向への移動を規制する第１のガイド部３０と、垂線Ｌを挟んで第１のガイド部の対向側に配置され、可動体１０の横方向への移動を規制する第２のガイド部４１とを備えている。【選択図】図４
2016131739.tif 000002
【特許請求の範囲】
【請求項１】
遊技機の正面に設けられる演出役物装置を備えた遊技機であって、
前記演出役物装置は、
可動体と、
前記可動体のいずれか一方の側面側に連結され、前記可動体を上下方向に移動させる昇降機構と、
前記可動体の重心を通る垂線から横方向に離れた位置に配置され、前記可動体を上下方向に移動可能に支持するとともに前記可動体の横方向への移動を規制する第１のガイド部と、
前記垂線を挟んで前記第１のガイド部の対向側に配置され、前記可動体の横方向への移動を規制する第２のガイド部と、を備えていることを特徴とする遊技機。
【請求項２】
前記昇降機構は、軸止部に揺動自在に支持された揺動アームを備え、
前記第２のガイド部は、遊技機に固定されるベース板に形成された前後方向に開口するガイド溝であり、
前記揺動アームと前記可動体とは、前記ガイド溝を貫通する貫通ピンによって連結されるとともに、前記貫通ピンによって前記揺動アーム及び前記可動体及び前記ベース板が一体化されており、
前記揺動アームの揺動に伴い前記貫通ピンが前記ガイド溝内を上下に移動するとともに、前記可動体が上下に移動するように形成されていることを特徴とする請求項１記載の遊技機。
【発明の詳細な説明】
【技術分野】
【０００１】
本発明は、可動体を有する演出役物装置を備えた遊技機に関するものである。
【背景技術】
【０００２】
パチンコ遊技機やスロットマシンなどにおいては、遊技盤や遊技機の正面に設けられた液晶表示装置等の画像表示部に、遊技内容に関わる文字図形等、種々の画像を表示して、遊技状況の報知や遊技に伴う演出が行われるように形成されている。また、このような画像表示部の前面に、演出役物装置のうちの可動する部分（可動体）を突出させて、演出効果を高めることが行われている。例えば、特許文献１には、可動体である役物本体をガイド部材で片持ち支持し、位置変位機構によって、初期位置である第１の位置と、液晶表示装置の表示画面と重なる第２の位置との間で変位させる演出役物装置を備えたパチンコ遊技機が開示されている。
【先行技術文献】
【特許文献】
【０００３】
【特許文献１】特開２０１３−１１６１７４号公報
【発明の概要】
【発明が解決しようとする課題】
【０００４】
ここで、可動体を位置変位機構で昇降移動させる場合において、可動体の重量がある場合には、昇降時に上下方向や左右方向のがたつきが生じないように、可動体を支持するガイドレールなどのガイド部を可動体の重心付近に配置することが望ましい。しかし、演出役物装置を設置する領域の制限や、演出役物装置に搭載される部品又は近接して設置される他の演出役物装置との関係で、ガイド部を可動体の重心付近に配置できない場合がある。
そこで、本願発明は、可動体を重心付近で支持できなくても可動体をスムーズに昇降させることができる演出役物装置を備えた遊技機を提供することを目的とする。
【課題を解決するための手段】
【０００５】
上述した目的を達成するために、本発明は次のように構成されている。
本発明に係る遊技機（パチンコ機Ｐ）は、正面に設けられる演出役物装置１を備え、この演出役物装置１は、可動体１０と、前記可動体１０のいずれか一方の側面側に連結され、前記可動体１０を上下方向に移動させる昇降機構２０と、前記可動体１０の重心を通る垂線Ｌから横方向に離れた位置に配置され、前記可動体１０を上下方向に移動可能に支持するとともに前記可動体１０の横方向への移動を規制する第１のガイド部（スライドレール３０、ガイド部１１Ａ）と、前記垂線Ｌを挟んで前記第１のガイド部の対向側に配置され、前記可動体１０の横方向への移動を規制する第２のガイド部（ガイド溝４１）と、を備えていることを特徴とする。
【０００６】
本発明における昇降機構２０は、可動体１０のいずれか一方の側面側に連結されるものであれば、どのような構成を有していても構わない。
また、本発明において、可動体１０と昇降機構２０との連結部は、可動体１０の側面側のうちの第１のガイド部が配置される側（第１ガイド部側）にあってもよいし、第２のガイド部が配置される側（第２ガイド部側）にあってもよい。
【０００７】
ここで、可動体１０の上下動を支持する第１のガイド部が、可動体１０の重心を通る垂線Ｌから側方に離れた位置に配置されていると、昇降機構２０の作動に伴い可動体１０が上下動する際、可動体１０において昇降機構２０との連結部と反対側（反連結部側）が、自重によって下方に回動してしまい、可動体１０の水平状態を保てないおそれがある。この点、本発明では、可動体１０の重心を通る垂線Ｌを挟んで第１ガイド部と対向する側に、第２ガイド部を設けてあるので、昇降機構２０との連結部が可動体１０の第１ガイド部側にある場合には、可動体の反連結部側が下方に回動するのを第２ガイド部が阻止し、昇降機構２０との連結部が可動体１０の第２ガイド部側にある場合には、可動体の反連結部側が下方に回動するのを第１ガイド部が阻止するものとなる。これにより、可動体１０を上下動させる際に水平状態を保ち、スムーズに移動させることができる。
【０００８】
また、本発明において、前記昇降機構２０は、軸止部（揺動軸４５）に揺動自在に支持された揺動アーム２１とし、前記第２のガイド部は、遊技機に固定されるベース板４０に形成された前後方向に開口するガイド溝４１とし、前記揺動アーム２１と前記可動体１０とは、前記ガイド溝４１を貫通する貫通ピン５０によって連結されるとともに、前記貫通ピン５０によって前記揺動アーム２１及び前記可動体１０及び前記ベース板４０が一体化されるように形成することができる。そして。前記揺動アーム２１の揺動に伴い前記貫通ピン５０が前記ガイド溝４１内を上下に移動するとともに、前記可動体１０が上下に移動するように形成することができる。
【０００９】
このように、揺動アーム２１と可動体１０とベース板４０とが貫通ピン５０によって一体化することにより、揺動アーム２１と可動体１０が前後方向にばたつくのを防止できる。また、可動体１０に、揺動アーム２１との連結部と、第２のガイド部にガイドされる被ガイド部とを別個に設ける必要がないので、部品点数の削減及び部品構成の簡素化を図ることができる。
【発明の効果】
【００１０】
本発明によれば、可動体を重心付近で支持できなくても可動体をスムーズに作動させることができる演出役物装置を備えた遊技機を提供することができる。
【図面の簡単な説明】
【００１１】
【図１】パチンコ機の外観斜視図である。
【図２】パチンコ機の前扉を開けた状態の外観斜視図である。
【図３】パチンコ機の遊技盤の正面概略図である。
【図４】可動体を突出させた演出役物装置の正面図である。
【図５】初期状態における演出役物装置の正面図である。
【図６】図４のVI−VI線断面図である。
【発明を実施するための形態】
【００１２】
以下、本発明の好適な実施の形態を、図面を参照しつつ説明する。
（パチンコ機Ｐの外部構成）
本形態に係る遊技機は、遊技媒体として遊技球を使用するパチンコ機Ｐである。特に図示していないが、一般的に、パチンコ機Ｐが設置される遊技場においては、島と呼ばれる遊技機の設置領域に、複数台のパチンコ機Ｐが並べて配設されるとともに、遊技球を貸し出すための遊技球貸出装置（特に図示しておらず）が各パチンコ機Ｐに隣接して設置される。また、各パチンコ機Ｐは対応する遊技球貸出装置に接続されている。
遊技球貸出装置は、紙幣の投入や遊技球の貸し出しに必要な価値情報が記憶される記憶媒体（カード）の挿入が可能となっている。そして、遊技球貸出装置に紙幣を投入（又は、カードを挿入）した上で、パチンコ機Ｐに対して所定の操作を行うことにより、遊技球貸出装置から遊技球の貸し出しを受けることができるようになっている。
【００１３】
本形態に係るパチンコ機Ｐは、図１又は図２に示すように、島に固定される四角形状の枠体であって、中空部（特に図示しておらず）を有する機枠Ｆ１と、この機枠Ｆ１にヒンジ機構（特に図示しておらず）により開閉自在に取り付けられる四角形状の枠体であって、中空部（特に図示しておらず）を有する本体枠Ｆ２と、この本体枠Ｆ２にヒンジ機構（特に図示しておらず）により開閉自在に取り付けられ、正面に開口部（特に図示しておらず）が形成された前扉Ｄと、を備えている。
【００１４】
機枠Ｆ１の左下部には、図２に示すように、スピーカ１００が設けられている。また、本体枠Ｆ２の中空部には、遊技領域１２０を形成するための遊技盤１１０が収容されている。また、図１に示すように、前扉Ｄには、開口部を覆う透明板４００と、透明板４００の下方に位置し遊技球を受容可能な上皿６００及び受皿７００と、受皿７００の右方に取り付けられ遊技球の発射操作を行うための操作ハンドル５００と、透明板４００の左右上方にそれぞれ１個ずつ取り付けられたスピーカ１００と、が設けられている。
また、図１に示すように、前扉Ｄの外周には、種々の色や発光パターンで発光することにより演出を行う演出ランプ２３０が設けられている。なお、この演出ランプ２３０は、特に図示していないが、複数色の発光が可能なＬＥＤにより構成されている。
【００１５】
このパチンコ機Ｐでは、機枠Ｆ１に対して本体枠Ｆ２を閉じ、さらに、前扉Ｄを閉じると、遊技盤１１０の前方に透明板４００が位置することとなる。これにより、透明板４００を介して、後方に位置する遊技盤１１０を視認することができるようになっている。
【００１６】
また、上皿６００には、遊技球貸出装置により貸し出される遊技球や、パチンコ機Ｐから払い出される賞球が導かれるようになっている。上皿６００は、所定量の遊技球を受容可能となっているが、この上皿６００が遊技球で一杯になると、その後に貸し出されたり、払い出されたりする遊技球は受皿７００に導かれるようになっている。また、受皿７００の底面には、特に図示していないが、貯留されている遊技球を排出するための排出孔と、排出孔を開閉可能な開閉板と、が設けられている。常態において、排出孔は開閉板により閉じられているものの、開閉板と一体に取り付けられた開閉レバー８００（図１参照）を横方向に移動させることで、開閉板も同方向に移動し、排出孔が開放される。これにより、遊技球を排出孔から落下させて、受皿７００の外に排出することができるようになっている。
【００１７】
また、操作ハンドル５００は、遊技者が所定方向へ向けて回転操作できるように形成されている。そして、遊技者が操作ハンドル５００を回転操作すると、上皿６００に受容されている遊技球が発射装置（特に図示しておらず）に送られ、発射装置によって、操作ハンドル５００の回転角度に応じた強度で遊技球が発射される。このように発射された遊技球は、遊技盤１１０に固定された一対のレールＲ１、Ｒ２に案内されて上昇し、遊技盤１１０の遊技領域１２０に到達する。
【００１８】
ここで、遊技領域１２０は、機枠Ｆ１に対し本体枠Ｆ２及び前扉Ｄを閉じた状態で遊技盤１１０と透明板４００との間に形成される空間のうち、遊技盤１１０に固定された一対のレールＲ１、Ｒ２により略円形状に仕切られた部分であって、遊技球が流下可能な領域である。
この遊技領域１２０は、図３に示すように、パチンコ機Ｐに対向する遊技者から見て左側の領域である第１遊技領域１２１と、パチンコ機Ｐに対向する遊技者から見て右側の領域である第２遊技領域１２２とから構成されている。これら２つの遊技領域１２０は、発射装置の発射強度により、遊技球の進入可能性が異なるようになっている。具体的には、発射装置の発射強度が所定の強度未満（発射装置により発射される遊技球が遊技領域１２０の最高地点に到達しない程度の強度）の場合には、遊技球は第１遊技領域１２１に進入する。これに対して、発射装置の発射強度が所定の強度以上（発射装置により発射される遊技球が遊技領域１２０の最高地点に到達可能な強度）の場合には、遊技球は第２遊技領域１２１に進入する。
【００１９】
また、この遊技領域１２０内には、図３に示すように、遊技球の流下方向を不規則にするための風車及び多数の釘と、遊技球が入球可能な一般入賞口１４０と、始動領域としての第１始動入賞口１５０及び第２始動入賞口１６０と、遊技球が通過可能なゲート２００と、所定条件を満たすことで作動するアタッカー装置１７０と、遊技球を遊技領域１２０外へ導くアウト口１９０と、動画や静止画等の画像を表示するための表示画面２１１を備えた液晶表示装置２１０と、が設けられている。さらに本実施の形態では、液晶表示装置２１０の下方に内蔵され、表示画面２１１の前面に可動体１０（図４参照）を突出させることができる演出役物装置１が設けられている。
【００２０】
本実施の形態では、第２始動入賞口１６０として、第１始動入賞口１５０の右側に並んで配置される第２始動入賞口１６０Ａと、第２始動入賞口１６０Ａの右方であってゲート２００の下方に配置される第２始動入賞口１６０Ｂとの２つが設けられている。そして、第１始動入賞口１５０と第２始動入賞口１６０Ａへは、第１遊技領域１２１を流下する遊技球を受け入れ可能であるとともに、受け入れた遊技球を左右に振り分ける振分装置１によって、交互に遊技球を入球させることができるように形成されている。振分装置１へは、第１遊技領域１２２を流下する遊技球は受け入れ不能であるため、第１始動入賞口１５０及び第２始動入賞口１６０Ａへは、第２遊技領域１２２を流下する遊技球は入球できないようになっている。
【００２１】
また、第２始動入賞口１６０Ｂには、図３に示すように、左右に開閉可能な可動片１６１が一対設けられており、可動片１６１が閉じているときには第２始動入賞口１６０Ｂは遊技球を受け入れることができないようになっている。一方、可動片１６１が開くと、開いた状態の可動片１６１が第１遊技領域１２１又は第２遊技領域１２２を流下する遊技球を第２始動入賞口１６０Ｂへ向けて案内するガイド部材として機能することにより、第２始動入賞口１６０Ｂへの遊技球の入球が容易となる。
【００２２】
なお、可動片１６１の構成は特に限定されるものではなく、たとえば、遊技盤１１０に直交する軸を中心に左右方向に回動して第２始動入賞口１６０を開閉する一対の羽根部材や、水平な軸を中心に前後方向に回動して第２始動入賞口１６０を開閉する蓋部材により構成してもよいし、また、上下方向にスライドして第２始動入賞口１６０を開閉するシャッター部材により構成してもよい。
【００２３】
第１始動入賞口１５０又は第２始動入賞口１６０へ遊技球が入球すると、所定個数の賞球が払い出されるとともに、大入賞口１８０が開放される特別遊技を実行するか否かの大当たりの抽選が行われる。また、特別遊技には、大入賞口１８０の開放回数や開放時間、特別遊技終了後に移行する遊技状態の違いなどがそれぞれ異なる複数種類が設けられており、いずれの特別遊技を実行させるかは、各特別遊技に対応付けられた複数種類の特別図柄の中から一の特別図柄を決定する特別図柄の抽選により決定される。
【００２４】
ここで、図３に示すように、遊技盤１１の右下部であって、かつ、遊技領域１２の外側には、遊技についての種々の状況を表示するための装置として、第１特別図柄表示装置３００、第２特別図柄表示装置３１０、普通図柄表示装置３２０、第１特図保留表示装置３３０、第２特図保留表示装置３４０、及び普通図柄保留表示装置３５０が設けられている。
そして、第１始動入賞口１５０へ遊技球が入球すると、第１特別図柄表示装置３００において、所定時間にわたり特別図柄の変動表示が行われ、第２始動入賞口１６０（第２始動入賞口１６０Ａ及び第２始動入賞口１６０Ｂ）へ遊技球が入球すると、第２特別図柄表示装置３１０において、所定時間にわたり特別図柄の変動表示が行われる。また、この間、演出表示装置２１０では変動演出が行われる。そして、所定時間の経過後、第１特別図柄表示装置３００又は第２特別図柄表示装置３１０の変動表示が停止し、大当たり抽選の結果を示す特別図柄が停止表示される。所定の特別遊技が当選している場合には当該特別遊技に対応付けられた特別図柄が停止表示され、ハズレの場合にはハズレに対応付けられた所定の図柄が停止表示される。演出表示装置２１０においても図柄変動を停止させて、抽選結果に応じた図柄を停止表示させる。特別遊技に対応付けられた特別図柄が停止表示された場合には、特別遊技が開始される。
【００２５】
またここで、第１特別図柄表示装置３００又は第２特別図柄表示装置３１０において特別図柄の変動表示が行われている最中、又は特別遊技の実行中に、第１始動入賞口１５０又は第２始動入賞口１６０に遊技球が入球した場合には、その旨が記憶（保留）され、第１始動入賞口１５０への遊技球の入球に基づく記憶数（保留数）は第１特図保留表示装置３３０に、第２始動入賞口１６０への遊技球の入球に基づく保留数は第２特図保留表示装置３４０に、それぞれ表示される。例えば点灯するランプの数により、保留数が報知される。そして、特別図柄の変動表示が終了し又は特別遊技が終了した場合には、保留に基づいて大当たりの抽選及び特別図柄の抽選が行われる。保留は最大４個まですることができ、保留に基づいて大当たりの抽選及び特別図柄の抽選が行われると保留数が減じられ、それに伴い第１特図保留表示装置３３０、第２特図保留表示装置３４０の表示も減じられる。
【００２６】
ゲート２００は、図３に示すように、振分装置１の右斜め上方に設けられている。このゲート２００を遊技球が通過すると、上述の第２始動入賞口１６０Ｂに設けられた可動片１６１を開状態にさせて第２始動入賞口１６０Ｂを開放させるか否かの抽選が行われる。この抽選は、第２始動入賞口１６０Ｂの開放（当たり）、非開放（ハズレ）にそれぞれ対応付けられた複数種類の普通図柄の中から一の普通図柄を決定する普通図柄の抽選として行われる。そして、当該抽選の結果が当たりであった場合、可動片１６１が所定時間、開状態となり、第２始動入賞口１６０Ｂが開放されるようになっている。
【００２７】
また、ゲート２００を遊技球が通過すると、図３に示す普通図柄表示装置３２０において、所定時間にわたり、普通図柄の変動表示が行われる。そして、変動時間の経過後、普通図柄表示装置３２０の変動表示が停止し、普通図柄の抽選の結果を示す普通図柄が停止表示される。すなわち、当たりの場合には当該当たりに対応付けられた普通図柄が停止表示され、ハズレの場合にはハズレに対応付けられた所定の図柄が停止表示される。当たりに対応付けられた普通図柄が停止表示されると、第２始動入賞口１６０Ｂが開放される。第２始動入賞口１６０Ｂが開放されている場合には、より多くの遊技球を第２始動入賞口１６０へ入球させることができ、大当たりの抽選を受ける機会が増え、第２始動入賞口１６０Ｂが開放されていない場合よりも有利な状態とすることができる。
【００２８】
ここで、普通図柄表示装置３２０において普通図柄の変動表示が行われている最中に、ゲート２００を遊技球が通過した場合には、上記と同様に最大４個まで保留され、普通図柄保留表示装置３５０に保留数が表示される。そして、普通図柄の変動表示が終了した場合には、保留に基づいて普通図柄の抽選が行われ、保留数が減じられるとともに普通図柄保留表示装置３５０の表示が減じられる。
【００２９】
アタッカー装置１７０は、図３に示すように、ゲート２００の右斜め上方に設けられている。このアタッカー装置１７０は、遊技球が入球可能な大入賞口１８０と、この大入賞口１８０を開閉する開閉扉１８１と、を備えている。常態においては、開閉扉１８１が閉じられ大入賞口１８０は閉鎖されているため、当該大入賞口１８０への遊技球の入球は不可能となっているものの、上述の特別遊技が実行されると、開閉扉１８１が開き大入賞口１８０が開放されるとともに、開閉扉１８１が遊技球を大入賞口１８０へ導く受皿部材として機能することにより、大入賞口１８０への遊技球の入球が可能となる。また、当該大入賞口１８０へ遊技球が入球すると、所定個数の賞球が払い出される。
【００３０】
アウト口１９０は、図３に示すように、遊技領域１２０の最下部に設けられており、一般入賞口１４０、振分装置１（第１始動入賞口１５０及び第２始動入賞口１６０）、及び大入賞口１８０のいずれにも入球しなかった遊技球を受け入れるものである。そして、アウト口１９０に受け入れられた遊技球は、遊技盤１１０の背面側に導かれ回収される。
なお、一般入賞口１４０、第１始動入賞口１５０及び第２始動入賞口１６０に入球した遊技球も、遊技盤１１０の背面側に導かれ回収される。
【００３１】
液晶表示装置２１０は、図３に示すように、遊技領域１２０の略中央に設けられており、その表示画面２１１には、背景画像が表示されるほか、所定の演出態様の一部として、演出図柄（ダミー図柄）が変動表示されるようになっている。そして、各演出図柄の停止表示態様により、特別図柄の抽選や普通図柄の抽選の結果が遊技者に報知されることとなる。
なお、遊技盤１１０に設けられる演出を行う装置としては、上記した液晶表示装置２１０や演出役物装置１の他に、種々の色や発光パターンで発光することにより演出を行う遊技盤演出ランプや、種々の色や発光パターンで発光することにより演出を行うとともに、パチンコ機Ｐの機種名を表示するタイトルランプ等を備えていてもよい。
【００３２】
（演出役物装置１）
次に、演出役物装置１の構造について詳述する。なお、演出役物装置１及び演出役物装置１を構成する各構成部品についての、前後（正面背面）、左右（側面）、上下（平面底面）の方向は、演出役物装置１を遊技盤１１０に固定した状態でパチンコ機Ｐを正面視したときの方向を示すものとする。
演出役物装置１は、図４及び図５に示すように、大きく分けて、可動体１０と、可動体１０を昇降移動させるための昇降機構２０と、可動体１０及び昇降機構２０を支持固定するベース板４０とから構成されている。
【００３３】
可動体１０は、図４に示すように、支持板１１の上部に固定された装飾板１２と、装飾板１２の中央部に回転自在に配置された回転体１３と、回転体１３を回転させるための回転用モータ１４とを備えている。回転体１３は、前後方向の水平軸を中心に右回り又は左回りに回転可能に形成されている。具体的には、図示していないが、回転体１３の背面部及び回転用モータ１４の駆動軸にはスプロケットが固定されており、二つのスプロケットに掛け渡されたチェーンによって、回転用モータ１４の駆動軸の回転が回転体１３に伝達されるようになっている。また、支持板１１の右端には、ベース板４０に固定されたスライドレール３０と係合するガイド部１１Ａが設けられているとともに、支持板１１の左端には、後述する貫通ピン５０を貫通させるためのピン孔１１Ｂが形成されている。そして、可動体１０は、貫通ピン５０により支持板１１に軸支される昇降機構２０の揺動アーム２１とスライドレール３０とにより、ベース板４０の正面側に、上下方向に移動可能に支持されるようになっている。
【００３４】
昇降機構２０は、図４に示すように、揺動アーム２１と、揺動アーム２１を揺動させて可動体１０を昇降させるための昇降用モータ２５と、昇降用モータ２５の駆動軸の回転を伝達するための伝達機構とを備えている。
揺動アーム２１は、ベース板４０に設けられた揺動軸４５を挿入可能な軸孔を有する支持部２２と、支持部２２から延設されたアーム部２３から成る。支持部２２の下方には、コイルバネ２４の一端を固定するためのバネ掛け部２２Ａが設けられており、コイルバネ２４の他端は、ベース板４０に設けられたバネ掛け部４３に固定される。揺動アーム２１は、揺動軸４５を中心としてベース板４０に揺動自在に支持され、コイルバネ２４によって、バネ掛け部２２Ａが揺動軸４５を中心にして反時計回りに回動する方向に付勢されるようになっている。
【００３５】
また、アーム部２３の端部側（支持部２２の対向側）には、アーム部２３の長さ方向に長い長孔２３Ａが形成されており、アーム部２３の支持部２２寄りには、アーム部２３の長さ方向に長い長孔２３Ｂが形成されている。そして、長孔２３Ａに貫通ピン５０を貫通させることにより、アーム部２３と可動体１０の支持板１１とが連結される。また、長孔２３Ｂには、後述する係合突起２９を係合可能に形成されている。
【００３６】
ここで、ベース板４０には、貫通ピン５０が貫通可能な縦長のガイド溝４１が形成されており、貫通ピン５０はアーム部２３と支持板１１とを連結させると同時に、アーム部２３と支持板１１とベース板４０とを一体化させている。すなわち、図４のVI−VI線断面図である図６に示すように、アーム部２３は、ベース板４０と可動体１０の支持板１１の間に挟まれており、貫通ピン５０は、支持板１１のピン孔１１Ａ、アーム部２３の長孔２３Ａ及びベース板４０のガイド溝４１を貫通している。そして、揺動アーム２１が揺動軸４５を中心に上下方向に揺動すると、長孔２３Ａを貫通する貫通ピン５０は長孔２３Ａ内を左右に移動し、ガイド溝４１に沿って上下に移動するものとなっている（図４、図５参照）。
【００３７】
また、アーム部２３の下辺には、下方に突出する検知片２１Ａが設けられているとともに、ベース板４０には、検知片２１Ａの移動を検知するためのセンサ４２が設けられている。センサ４２は、発光部及び受光部を有する光学センサであり、発光部の発光する光線を受光部が受光しているときにはＯＦＦ状態、発光部の発光する光線を受光部が受光していないときにはＯＮ状態となる。すなわち、検知片２１Ａが発光部の発光する光線を遮光しているときには、センサ４２がＯＮ状態となるようになっている。
【００３８】
昇降用モータ２５は例えばステッピングモータとすることができ、ベース板４０に固定されている。また、図４に示すように、昇降用モータ２５の駆動軸には駆動ギア２５Ａが設けられている。そして、連結機構としては、歯車部材２６と円板部材２７とが設けられている。歯車部材２６は、駆動ギア２５Ａに噛合する第１ギア２６Ａと、第１ギア２６Ａよりもピッチ円直径の大きい第２ギア２６Ｂとを備えている。円板部材２７の正面には、歯車部材２６の第２ギア２６Ｂに噛合する第３ギア２８が設けられているとともに、円板部材２７の背面には、円柱形の係合突起２９が突設されている。そして、昇降用モータ２５の駆動軸が回転すると、歯車部材２６及び円板部材２７が回転し、これに伴い係合突起２９が位置移動するようになっている（図４、図５参照）。前述したように、係合突起２９は、ベース板４０に支持された揺動アーム２１の長孔２３Ｂと係合しており、係合突起２９が位置移動しながら長孔２３Ｂの下縁部を押し下げ又は上縁部を押し上げることにより、長孔２３Ａに貫通された貫通ピン５０がガイド溝４１の下端部に位置する原点位置（図５参照）と、貫通ピン５０がガイド溝４１の上端部に位置する上限位置（図４参照）との間で、揺動アーム２１を揺動させるものとなっている。
【００３９】
具体的には、初期状態においては、図５に示すように、揺動アーム２１は原点位置にあり、貫通ピン５０が下限位置となっている。このとき、係合突起２９は長孔２３Ｂの左端（揺動軸４５側）に位置している。また、コイルバネ２４がバネ固定部２２Ａに付勢力を与えているが、貫通ピン５０が、ベース板４０のバネ掛け部４３の水平位置（図５のＨ参照）よりも下側にあるので、コイルバネ２４の引っ張り力がアーム部２３の先端部を時計回りに回転させる方向にはたらき、揺動アーム２１は下限位置でロックされた状態となっている。また、揺動アーム２１Ａの検知片２１Ａは、センサ４２の受光部と発光部の間に位置しており、センサ４２はＯＮ状態となっている。
【００４０】
揺動アーム２１が原点位置にある状態で、昇降用モータ２５を所定方向（正転方向）に駆動させることにより円板部材２７が反時計回りに回転すると、係合突起２９は長孔２３Ｂ内を右側に移動しつつ長孔２３Ｂの上縁部を押し上げる。これにより、アーム部２３が上方向に移動し、揺動アーム２１はバネ２４の引っ張り力に抗して反時計回りに回動する。検知片２１Ａがセンサ４２の間から抜け出るとセンサ４２はＯＦＦ状態となる。なお、アーム部２３の先端部がバネ掛け部４３の水平位置よりも上側に位置するまでアーム部２３が移動すると、コイルバネ２４の付勢力（引っ張り力）が、揺動アーム２１の上方向への回動を助けることとなる。揺動アーム２１が、図４に二点鎖線で示す位置まで回動すると、係合突起２９は長孔２３Ｂの右端に移動する。このとき、アーム部２３は略水平状態となる。さらに円板部材２７が時計回りに回転すると、係合突起２９は長孔２３Ｂ内を左側に移動しつつ長孔２３Ｂの上縁部を押し上げる。これにより、アーム部２３がさらに上方向に移動し揺動アーム２１が反時計回りに回動する。そして、係合突起２９が長孔２３Ｂの左端まで移動すると、揺動アーム２１は図４に実線で示す上限位置となる。
【００４１】
揺動アーム２１が上限位置まで回動すると、昇降用モータ２５は駆動停止するように形成されている。例えば、揺動アーム２１を原点位置から上限位置にまで回動させるのに必要なだけの時間又は回転数（ステップ数）分だけ昇降用モータ２５を駆動させたら、駆動停止するように制御プログラムを組んでおくことができる。あるいは、貫通ピン５０がガイド溝４１の上端に当接し、又は係合突起２９が長孔２３Ｂの左端に当接することにより昇降用モータ２５に負荷がかかり、負荷が一定値を超えたら昇降用モータ２５を駆動停止するよう形成してもよい。あるいは、揺動アーム２１が上限位置となるまで回動したことをセンサで検知し、この検知に基づいて昇降用モータ２５を駆動停止させるようにしてもよい。昇降用モータ２５が駆動停止すると、昇降用モータ２５のロックによって揺動アーム２１は上限位置に保持される。
【００４２】
また、揺動アーム２１が上限位置にある状態で、昇降用モータ２５を所定方向と逆方向に駆動（逆転駆動）させることにより円板部材２７が時計回りに回転すると、係合突起２９は長孔２３Ｂ内を右側に移動しつつ長孔２３Ｂの下縁部を押し下げる。これにより、アーム部２３はバネ２４の付勢力に抗して下方向に移動し揺動アーム２１が時計回りに回動する。円板部材２７がさらに時計回りに回転すると、係合突起２９は長孔２３Ｂの下縁部を押し下げつつ長孔２３Ｂの右端に移動したあと、再び長孔２３Ｂの左端に移動する。揺動アーム２１が原点位置に戻り、検知片２１Ａにより遮光されたセンサ４２はＯＦＦとなる。これにより、昇降用モータ２５が駆動停止し、揺動アーム２１は原点位置で停止するようになっている。
【００４３】
演出役物装置１は、ベース板４０を、遊技盤１１０の背面側に設けられた固定枠（図示せず）に固定することにより、図３に示すように、遊技盤１１０の奥側であって液晶表示装置２１０の下方に配置される。そして、遊技中の所定契機で、昇降機構２０を作動させることにより、可動体１０を、装飾板１２が液晶表示装置２１０の表示画面２１１の一部を覆い隠す突出位置（図３、図４参照）に移動させたり、装飾板１２が遊技盤１１０の裏側に隠れて正面視不能となる没入位置（図３、図５参照）に移動させることができるようになっている。
【００４４】
（演出役物装置１の作動）
演出役物装置１の初期状態においては、図５に示すように、揺動アーム２１は貫通ピン５０が下限位置にある状態となっており、図３において点線で示すように、可動体１０は没入位置にある。そして、遊技中の所定契機に該当した場合、例えば、大当たりの抽選に当選した場合や、大当たりを示唆する演出の実行抽選に当選した場合などに、パチンコ機Ｐの役物制御装置（図示せず）が、昇降用モータ２５を正転駆動させる。これに伴い、揺動アーム２１が反時計回りに回動し、貫通ピン５０がガイド溝４１内を上方に移動して、揺動アーム２１とスライドレール３０に支持された可動体１０が上昇移動する。なお、可動体１０を上昇移動させつつ、回転用モータ１４を駆動させて回転体１３を回転させてもよい。
【００４５】
揺動アーム２１が上限位置まで回動すると、昇降用モータ２５が駆動を停止する。このとき、図３において二点鎖線で示すように、可動体１０は突出位置にあって装飾板１２の全体が遊技盤１１０の前面に表出している。この状態で、回転用モータ１４を駆動させて回転体１３を回転させてもよい。
また、可動体１０が突出位置であるときに、所定契機に該当した場合、例えば、所定時間が経過した場合には、パチンコ機Ｐの役物制御装置は、昇降用モータ２５を逆転駆動させる。これに伴い、揺動アーム２１が時計回りに回動し、貫通ピン５０がガイド溝４１を下方に移動して、可動体１０が下降移動する。なお、可動体１０を下降移動させつつ、回転用モータ１４を駆動させて回転体１３を回転させてもよい。そして、揺動アーム２１が原点位置に戻ると、昇降用モータ２５が駆動を停止する。このようにして、可動体１０は没入位置に戻る。
【００４６】
以上のように、本実施の形態では、可動体１０の装飾板１２の中央に回転体１３を設けてあり、この回転体１３を回転させるための回転用モータ１４を、回転体１３の下方に配置している。これにより、回転体１３の後方に回転用モータ１４を配置する場合に比べ、可動体１０の奥行き寸法（前後方向の長さ）を小さくしている。また、スライドレール３０を、回転用モータ１４と前後方向に重ならないように配置することにより、演出役物装置１の奥行き寸法を小さくしている。このため、スライドレール３０は、可動体１０の重心（本実施の形態では装飾板１２の横幅方向の中心線上にあるものとする）からずれた位置、すなわち、可動体１０の重心を通る垂線Ｌ（図４参照）から側方に離れた箇所（支持板１１の右寄り）で、可動体１０を支持するものとなっている。
【００４７】
そして、本実施の形態では、可動体１０と揺動アーム２１を連結する貫通ピン５０を、支持板１１のガイド部１１Ａと反対側の端部に配置し、貫通ピン５０の位置移動をガイドする直線状のガイド溝４１を、垂線Ｌを挟んでスライドレール３０の対向側となる位置に設けてある。すなわち、可動体１０は、重心を挟んで位置するスライドレール３０と貫通ピン５０により支持されるようになっている。これにより、揺動アーム２１の揺動に伴い昇降する可動体１０の反支点側（右端側）が自重によって下方に回動しようとするのを、スライドレール３０が阻止するものとなり、昇降時に可動体１０を水平に保つことができる。また、可動体１０が昇降する際に生ずる横方向のがたつきを、貫通ピン５０が貫通しているガイド溝４１及びスライドレール４０によって防止することができる。
【００４８】
また、本実施の形態では、可動体１０と揺動アーム２１とベース板４０とを、単一の貫通ピン５０によって一体化している。これにより、例えばスライドレール３０とガイド部１１Ａとの間にクリアランスが生じていても、可動体１０が前後方向にばたつくのを防止することができ、可動体１０をスムーズに作動させることができる。また、可動体１０に、揺動アーム２１との連結部と、ガイド溝４１との係合部の両方を設ける必要がないので、部品点数を削減し構造を簡素化することができる。
【００４９】
（変形例）
上記した実施の形態では、昇降機構２０として揺動アーム２１を用いていたが、昇降機構２０は、可動体１０を昇降移動させることができるものであれば、どのような機構を用いてもよい。例えば、可動体１０にラックを設け、ベース板４０にギア回転用モータを設け、モータの駆動によりラックと噛合したギアが回転して、可動体１０が移動するように形成してもよい。この場合には、可動体１０の支持板１１に背面側に突出するピンを設け、このピンをガイド溝４１に係合させるようにして、可動体１０の横方向のぶれを防止することができる。あるいは、可動体１０の支持板１１にガイド溝を設け、ベース板４０に正面側に突出するピンを設けてもよい。
【００５０】
また、上記した実施の形態では、演出役物装置１を液晶表示装置２１０の下方に配置し、可動体１０が表示画面２１１の下側から上昇してくるように形成してあったが、演出役物装置１を液晶表示装置２１０の上方に配置し、可動体１０が表示画面２１１の上側から下降してくるように形成してもよい。
【００５１】
また、上記した実施の形態では、可動体１０と揺動アーム２１とベース板４０とを単一の貫通ピン５０によって連結していたが、可動体１０がベース板４０に支持されるためのピンと、可動体１０と揺動アーム２１とを連結するピンとを別個に設けてもよい。例えば、可動体１０の支持板１１の側方に張出部を設けて、ここに揺動アーム２１をピンで連結するとともに、前述のように支持板１１の背面又はベース板４０にピンを設け、このピンをガイド溝（第２のガイド部）に係合させるようにしてもよい。あるいは、支持板１１とベース板４０の間にスライドレールを設けてもよい。
【００５２】
さらに、上記した実施の形態では、可動体１０と昇降機構２０との連結部がガイド溝４１側（第２のガイド部側）にある例であったが、可動体１０と昇降機構２０との連結部をスライドレール３０側（第１のガイド部側）としてもよい。この場合でも、垂線Ｌを挟んで設置する第２のガイド部（溝でもよいしレールでもよい）が、可動体１０の横方向への移動を規制して、可動体１０の連結部の反対側が下側に回動するのを阻止し、上記と同様の効果を得ることができる。
【００５３】
なお、上述の実施の形態におけるスライドレール３０は本発明の第１のガイド部に相当し、上述の実施の形態におけるガイド溝４１は本発明の第２のガイド部に相当する。また、上述の実施の形態における揺動軸４５は本発明の軸止部に相当する。
【符号の説明】
【００５４】
Ｐ  パチンコ機（遊技機）              １  演出役物装置
１０  可動体                        １１  支持板
１１Ａ  ガイド部（第１のガイド部）  １１Ｂ  ピン孔
１２  装飾部材                      １３  回転体
１４  回転用モータ
２０  昇降機構                      ２１  揺動アーム
２１Ａ  検知片
２２  支持部                      ２２Ａ  バネ掛け部
２３  アーム部                    ２３Ａ  長孔
２３Ｂ  長孔                          ２４  コイルバネ
２５  昇降用モータ                  ２６  第１ギア
２７  円板                          ２８  第２ギア
２９  係合突起
３０  スライドレール（第１のガイド部）
４０  ベース板                      ４１  ガイド溝（第２のガイド部）
４２  位置決めセンサ                ４３  バネ掛け部
４５  揺動軸（軸止部）              ５０  貫通ピン
【図１】
2016131739.tif 000003
【図２】
2016131739.tif 000004
【図３】
2016131739.tif 000005
【図４】
2016131739.tif 000006
【図５】
2016131739.tif 000007
【図６】
2016131739.tif 000008